(57)【要約】    【課題】  携帯電話、携帯情報端末及び携帯型パーソナルコンピュータ等の携帯端末から、インターフェースケーブルを新たに調達、引き回し、接続することなくサーバ管理装置に接続してサーバ装置及びサーバ管理装置の入出力制御を可能とする。    【解決手段】  サーバ装置１を管理するサーバ管理装置３に、赤外線通信装置２８、低出力近距離無線通信装置３０あるいは無線ＬＡＮ通信装置３２を備えて、携帯電話７０、携帯情報端末７１あるいは携帯型パーソナルコンピュータ７２から、赤外線通信、低出力近距離無線通信あるいは無線ＬＡＮ通信によって、サーバ装置１及びサーバ管理装置３の入出力制御を行う。【選択図】    図１
2005267225.tif 000002
【特許請求の範囲】
【請求項１】
サーバ管理装置によってサーバ装置を管理するサーバ管理システムにおいて、
前記サーバ管理装置に赤外線通信による操作を可能とする赤外線通信手段を備え、前記サーバ管理装置が、同規格の赤外線通信手段を有する携帯端末からの赤外線通信によって、前記サーバ装置内の履歴情報の読み出し処理、各種動作設定値の読み出し処理と変更処理、前記サーバ装置の基本動作の実行、及び前記サーバ装置のファームウェアの更新処理、サーバ管理装置のプログラムの更新処理を実行させる手段を有することを特徴とするサーバ管理システム。
【請求項２】
サーバ管理装置によってサーバ装置を管理するサーバ管理システムにおいて、
前記サーバ管理装置に低出力近距離無線通信による操作を可能とする低出力近距離無線通信手段を備え、前記サーバ管理装置が同規格の低出力近距離無線通信手段を有する携帯端末からの低出力近距離無線通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とするサーバ管理システム。
【請求項３】
サーバ管理装置によってサーバ装置を管理するサーバ管理システムにおいて、
前記サーバ管理装置に無線ＬＡＮによる操作を可能とする無線ＬＡＮ通信手段を備え、前記サーバ管理装置が同規格の無線ＬＡＮ通信手段を有する携帯端末あるいは同規格の無線ＬＡＮアクセスポイントに有線ＬＡＮ及び無線ＬＡＮによって接続している携帯端末又は端末装置から、無線ＬＡＮ通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とするサーバ管理システム。
【請求項４】
前記サーバ管理装置が前記サーバ装置の主記憶装置、中央演算処理装置、制御処理装置からデータ読み出し処理を実行する手段を有し、かつ前記携帯端末又は端末装置からの前記無線ＬＡＮ通信によって、前記サーバ装置の主記憶装置、中央演算処理装置、制御処理装置からのデータ読み出し処理を実行させる手段を有することを特徴とする請求項３に記載のサーバ管理システム。
【請求項５】
前記サーバ管理装置が前記サーバ装置がサーバ管理装置を経由してサーバ装置のファームウェア及びオペレーティングシステムを実行する手段を有し、かつ前記携帯端末又は端末装置に格納されている前記サーバ装置のファームウェア及びオペレーティングシステムを前記無線ＬＡＮ通信手段を経由して実行し、前記サーバ装置を起動する手段を有することを特徴とする請求項３に記載のサーバ管理システム。
【請求項６】
前記サーバ管理装置が前記サーバ装置の入出力を制御する手段を有し、かつ前記携帯端末又は端末装置からの前記無線ＬＡＮ通信手段を経由した操作によって、前記サーバ装置の入出力の制御を可能にする手段を有することを特徴とする請求項３に記載のサーバ管理システム。
【請求項７】
サーバ装置を管理するサーバ管理装置において、
赤外線通信による操作を可能とする赤外線通信手段を備え、同規格の赤外線通信手段を有する携帯端末からの赤外線通信によって、前記サーバ装置内の履歴情報の読み出し処理、各種動作設定値の読み出し処理と変更処理、前記サーバ装置の基本動作の実行、及び前記サーバ装置のファームウェアの更新処理、サーバ管理装置のプログラムの更新処理を実行させる手段を有することを特徴とするサーバ管理装置。
【請求項８】
サーバ装置を管理するサーバ管理装置において、
低出力近距離無線通信による操作を可能とする低出力近距離無線通信手段を備え、同規格の低出力近距離無線通信手段を有する携帯端末からの低出力近距離無線通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とするサーバ管理装置。
【請求項９】
サーバ装置を管理するサーバ管理装置において、
無線ＬＡＮによる操作を可能とする無線ＬＡＮ通信手段を備え、同規格の無線ＬＡＮ通信手段を有する携帯端末あるいは同規格の無線ＬＡＮアクセスポイントに有線ＬＡＮ及び無線ＬＡＮによって接続している携帯端末又は端末装置から、無線ＬＡＮ通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とするサーバ管理装置。
【請求項１０】
前記サーバ装置の主記憶装置、中央演算処理装置、制御処理装置からデータ読み出し処理を実行する手段を有し、かつ前記携帯端末又は端末装置からの前記無線ＬＡＮ通信によって、前記サーバ装置の主記憶装置、中央演算処理装置、制御処理装置からのデータ読み出し処理を実行させる手段を有することを特徴とする請求項９に記載のサーバ管理装置。
【請求項１１】
前記サーバ装置がサーバ管理装置を経由してサーバ装置のファームウェア及びオペレーティングシステムを実行する手段を有し、かつ前記携帯端末又は端末装置に格納されている前記サーバ装置のファームウェア及びオペレーティングシステムを前記無線ＬＡＮ通信手段を経由して実行し、前記サーバ装置を起動する手段を有することを特徴とする請求項９に記載のサーバ管理装置。
【請求項１２】
前記サーバ装置の入出力を制御する手段を有し、かつ前記携帯端末又は端末装置からの前記無線ＬＡＮ通信手段を経由した操作によって、前記サーバ装置の入出力の制御を可能にする手段を有することを特徴とする請求項９に記載のサーバ管理装置。
【請求項１３】
サーバ装置を管理するサーバ管理装置上で実行され、前記サーバ装置の管理を制御するサーバ管理プログラムであって、
前記サーバ管理装置に備えられる赤外線通信による操作を可能とする赤外線通信手段を経由した同規格の赤外線通信手段を有する携帯端末からの赤外線通信によって、前記サーバ装置内の履歴情報の読み出し処理、各種動作設定値の読み出し処理と変更処理、前記サーバ装置の基本動作の実行、及び前記サーバ装置のファームウェアの更新処理、サーバ管理装置のプログラムの更新処理を実行させる機能を有することを特徴とするサーバ管理プログラム。
【請求項１４】
サーバ装置を管理するサーバ管理装置上で実行され、前記サーバ装置の管理を制御するサーバ管理プログラムであって、
前記サーバ管理装置に備えられる低出力近距離無線通信による操作を可能とする低出力近距離無線通信手段を経由した同規格の低出力近距離無線通信手段を有する携帯端末からの低出力近距離無線通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる機能を有することを特徴とするサーバ管理プログラム。
【請求項１５】
サーバ装置を管理するサーバ管理装置上で実行され、前記サーバ装置の管理を制御するサーバ管理プログラムであって、
前記サーバ管理装置に備えられる無線ＬＡＮによる操作を可能とする無線ＬＡＮ通信手段を経由した同規格の無線ＬＡＮ通信手段を有する携帯端末あるいは同規格の無線ＬＡＮアクセスポイントに有線ＬＡＮ及び無線ＬＡＮによって接続している携帯端末又は端末装置からの無線ＬＡＮ通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる機能を有することを特徴とするサーバ管理プログラム。
【請求項１６】
前記サーバ装置の主記憶装置、中央演算処理装置、制御処理装置からデータ読み出し処理を実行する機能を有し、かつ前記携帯端末又は端末装置からの前記無線ＬＡＮ通信によって、前記サーバ装置の主記憶装置、中央演算処理装置、制御処理装置からのデータ読み出し処理を実行させる機能を有することを特徴とする請求項１５に記載のサーバ管理プログラム。
【請求項１７】
前記サーバ装置がサーバ管理装置を経由してサーバ装置のファームウェア及びオペレーティングシステムを実行する機能を有し、かつ前記携帯端末又は端末装置に格納されている前記サーバ装置のファームウェア及びオペレーティングシステムを前記無線ＬＡＮ通信手段を経由して実行し、前記サーバ装置を起動する機能を有することを特徴とする請求項１５に記載のサーバ管理プログラム。
【請求項１８】
前記サーバ装置の入出力を制御する機能を有し、かつ前記携帯端末又は端末装置からの前記無線ＬＡＮ通信手段を経由した操作によって、前記サーバ装置の入出力の制御を可能にする機能を有することを特徴とする請求項１５に記載のサーバ管理プログラム。
【請求項１９】
サーバ管理装置を有する複数のサーバ装置に、各サーバ管理装置が有する無線ＬＡＮ通信手段と同規格の無線ＬＡＮアクセスポイントによって、無線ＬＡＮによって接続している携帯端末又は有線ＬＡＮによって接続している端末装置上で実行され、前記無線ＬＡＮ通信によって、複数のサーバ装置を切り替えて前記サーバ装置の入出力制御を可能にする機能を有することを特徴とする制御用プログラム。
【発明の詳細な説明】
【技術分野】
【０００１】
本発明は、サーバ装置を管理するサーバ管理システム、サーバ管理装置及びサーバ管理プログラムに関し、特にサーバ装置の障害発生時やシステム構築時における、障害解析作業、障害回復作業、及び、システム構築作業における管理を行うサーバ管理システム、サーバ管理装置及びサーバ管理プログラムに関する。
【背景技術】
【０００２】
従来、サーバ装置を管理するサーバ管理装置は、サーバ装置の入出力装置を用いて、サーバ装置とサーバ管理装置とを接続する内部信号を経由して、サーバ管理装置の制御を行っている。しかし、サーバ装置が故障して動作不可能な状態になった場合には、サーバ装置の入出力装置が動作不可能となり、サーバ管理装置も制御ができなくなることから、障害解析に必要な履歴情報や各種動作設定値の読み出し処理、及び、障害復旧に必要な各種設定値の変更処理、サーバ装置のファームウェアの更新処理、サーバ管理装置プログラムの更新処理が行えなくなってしまう。
【０００３】
このような問題を解消するため、特開平１１−２０３２４４号公報（特許文献１）に示すように、サーバ装置の入出力装置インターフェースに切り替え装置を設け、サーバ管理装置に対する入出力装置インターフェースを切り換えることにより、サーバ装置の入出力装置を、サーバ装置を経由することなく、直接サーバ管理装置に接続して制御する方式が提案されている。しかし、ＬＡＮによって遠隔制御するサーバ装置では、入出力装置を接続することなく運用しているものがあり、サーバ装置が故障した場合には、サーバ管理装置を制御するため、新たに入出力装置を調達し接続しなければならず、障害解析及び障害復旧に迅速に対応することができない。
【０００４】
また、特開平１１−２０３１７６号公報（特許文献２）に示すように、サーバ管理装置をサーバ装置とは独立した入出力装置により制御する方法が提案されている。しかし、主に障害発生時にのみに使用され、通常運用時には使用されない入出力装置を常備することは、少なからずコストの増大を招く。また、公衆回線に接続する手段を有していないため、サーバ管理装置から読み出した履歴情報及び各種動作設定値は、電子データとして送信することができない。よって、より詳細な障害解析を行うべく、遠隔のサーバ装置保守管理者にサーバ管理装置の履歴情報及び各種動作設定値を通知するためには、サーバ管理装置の出力装置から読み出した履歴情報及び各種動作設定値を、電話にて読み上げる、一旦紙に書き写してＦＡＸ通信する、あるいは、携帯型パーソナルコンピュータに手動入力して電子メール送信する等、非常に煩雑な手順が必要となる。
【０００５】
また、従来のサーバ管理装置の入出力装置は、コストを抑えるため、ほとんどが簡易な入出力装置であることから、障害復旧に必要な各種動作設定値の変更処理、サーバ装置のファームウェアの更新処理、サーバ管理装置プログラムの更新処理を行うことができない。
【０００６】
遠隔のサーバ装置保守管理者からのサーバ管理装置の制御に関し、従来、サーバ装置を管理するサーバ管理装置には、シリアルインターフェースを備えてモデムを経由して公衆回線に接続する方式や、有線ＬＡＮインターフェースを備えてインターネットに接続する方式等がある。しかし、何れの方式も有線による接続のためネットワーク回線の敷設を必要とする。したがって、システム導入時のネットワーク回線の敷設前に発生した初期障害には対応できない。また、常設の専用回線を設置、維持するためにはコストがかかる。
【０００７】
しかも、サーバ管理装置の制御は、遠隔にあるサーバ装置保守管理者が使用するパーソナルコンピュータあるいはワークステーションからしか行えない。そのため、サーバ装置の近傍に居ながらにしてサーバ管理装置を制御することができないため、迅速な障害解析及び障害復旧に支障をきたす場合がある。
【０００８】
サーバ装置近傍にサーバ管理装置を制御するための専用のパーソナルコンピュータあるいはワークステーションを設置する方法もあるが、障害対応時及び定期点検時にのみ使用され、通常運用時には使用されず無駄であり、システム全体のコストを上昇させることになる。
【０００９】
常設の専用回線を敷設せずに、障害が発生した場合にのみネットワークに接続する、あるいは、ネットワークに接続可能な携帯型パーソナルコンピュータに接続するという手法も考えられるが、使用者の環境によっては、一時的なネットワークケーブルの引き回しが困難な場合がある。
【００１０】
一方、サーバ装置の入出力装置、すなわち、キーボード、マウス、及びモニタに関し、従来、複数台のサーバ装置がある場合には、一式のキーボード、マウス、及びモニタだけを備え、切り替え装置を使用してサーバ装置を切り換えることにより入出力制御する方式がある。ただ、切り替え装置とサーバ装置とを接続するインターフェースケーブルはサーバ装置台数分が必要であり、サーバ装置の台数が多いと切り替え装置とサーバ装置の接続作業は非常に煩雑なものになる。
【００１１】
特に、サーバ装置を使用者の環境に設置する前に、製造者及び保守管理者がサーバ装置の設定作業を行う場合がある。このような場合、まず、製造者及び保守管理者の環境にて切り替え装置とサーバ装置の接続作業を行うが、サーバ装置の設定完了後にはユーザ環境に移設するために解体され、次に、ユーザ環境において、再び切り替え装置とサーバ装置の接続作業を行うことになる。このように、切り替え装置とサーバ装置の接続作業の度に煩雑な作業を強いられることになる。
【００１２】
ＬＡＮによって遠隔制御するサーバ装置では、入出力装置を接続することなく運用されるが、システム導入時のサーバ装置の設定作業では入出力装置を接続して行う必要がある。したがって、システム導入時に調達、接続した入出力装置はシステム運用時には不要になり無駄となることになる。
【００１３】
しかも、運用後に大幅なシステム構成の変更を行う場合には、サーバ装置に入出力装置を接続して行うこともあり、このような場合、再び入出力装置を調達、接続しなければならない。
【００１４】
なお、従来、サーバ装置を管理するサーバ管理装置においてサーバ装置の入出力を制御する方法がある。サーバ管理装置のシリアルインターフェース及び有線ＬＡＮインターフェースを介して接続するパーソナルコンピュータ及びワークステーションからサーバ装置の入出力制御を行う手段を有する。しかしながら、この方法の場合、切り替え機及び中継器と、サーバ装置台数分のインターフェースケーブルが必要であり、サーバ装置の台数が多い場合には接続作業が非常に煩雑であることに変わりはない。
【特許文献１】特開平１１−２０３２４４号公報
【特許文献２】特開平１１−２０３１７６号公報
【発明の開示】
【発明が解決しようとする課題】
【００１５】
従来のサーバ管理装置にあっては、以下に述べるような種々の問題点があった。
【００１６】
第１の問題点は、サーバ装置を管理するサーバ管理装置がサーバ装置とは独立した入出力装置を持つ必要がある点にある。
【００１７】
その理由は、サーバ装置の故障に伴ってサーバ装置の入出力インターフェースが機能しなくなった場合には、サーバ管理装置の入出力制御も行えなくなるためである。あるいは、ＬＡＮによって遠隔制御するサーバ装置では、サーバ装置に入出力装置を接続せずに運用しているためである。
【００１８】
第２の問題点は、サーバ管理装置専用の入出力装置を常時備えることはコストや設置スペースの面で望ましくない点にある。
【００１９】
その理由は、サーバ管理装置の入出力制御は障害発生時及び定期保守時にのみ行われるもので、サーバ管理装置専用の入出力装置は、通常運用時には使用されることはなく、コスト面、設置スペース面で無駄になるためである。
【００２０】
第３の問題点は、障害が発生した場合には、保守管理者は直ちにサーバ管理装置の入出力制御を行う必要があるが、迅速な障害解析作業と障害回復作業を行ううえで、入出力装置あるいはインターフェースケーブルの調達、引き回し、接続の作業が時間の無駄となる点である。
【００２１】
第４の問題点は、サーバ装置の近傍でサーバ管理装置の入出力制御が行えないと効率的に障害解析や障害回復作業が行えない点である。
【００２２】
障害解析及び障害回復作業は、サーバ管理装置の操作だけでは行えない場合があるためである。すなわち、サーバ装置の外観及び内部の目視確認、ケーブルやボードの接続勘合確認あるいは部品の交換といったサーバ装置に対する直接的な作業が必要なためである。従って、サーバ管理装置の操作と、サーバ装置に対する直接的な作業は、サーバ装置の近傍で連携して進めることが望ましい。
【００２３】
第５の問題点は、サーバ管理装置から公衆回線及びインターネットに電子データを送受信できる機能が備わっていない点である。
【００２４】
直接的に作業を行っている現場の保守管理者だけでは、障害解析及び障害回復作業が行えない場合があるため、詳細な障害解析を行うために、サーバ管理装置から読み出した履歴情報及び各種設定値を電子データにて公衆回線及びインターネット経由で遠隔の保守管理者に送信できることが必要となる。あるいは、障害回復のために修正されたサーバ装置のファームウェア及びサーバ管理装置プログラムを、遠隔の保守管理者から公衆回線及びインターネット経由で受信できれば、より迅速な障害回復が行える。
【００２５】
第６の問題点は、遠隔のサーバ装置保守管理者からのサーバ管理装置の制御に関し、サーバ装置を管理するサーバ管理装置にモデムを経由して公衆回線に接続する方式や、有線ＬＡＮインターフェースを備えてインターネットに接続する方式の場合、何れの方式も有線による接続のためネットワーク回線の敷設を必要とするため、システム導入時のネットワーク回線の敷設前に発生した初期障害には対応できないと共に、常設の専用回線を設置、維持するためにはコストがかかるという点である。
【００２６】
第７の問題点は、サーバ装置の入出力装置が有線のインターフェースケーブルによって接続される点である。サーバ装置が複数ある場合、サーバ装置の台数が多いとインターフェースケーブルの接続作業が非常に煩雑となるためである。
【００２７】
本発明は、サーバ装置の操作性、保守性の向上を目的として、サーバ装置とサーバ管理装置の入出力制御手段に関して接続の容易性向上を実現するサーバ管理システム、サーバ管理装置及びサーバ管理プログラムを提供する。
【００２８】
すなわち、保守管理者が連絡用及び記録用として常時携帯している携帯電話あるいは携帯電話ネットワークに接続可能なインターフェースを有する携帯情報端末及び携帯型パーソナルコンピュータ等の携帯端末、あるいはインターネットに接続しているパーソナルコンピュータ及びワークステーション等の端末装置から、インターフェースケーブルを新たに接続することなくサーバ管理装置に接続して、サーバ装置及びサーバ管理装置の入出力制御を可能とする。
【課題を解決するための手段】
【００２９】
上記目的を達成する本発明は、サーバ管理装置によってサーバ装置を管理するサーバ管理システムにおいて、前記サーバ管理装置に赤外線通信による操作を可能とする赤外線通信手段を備え、前記サーバ管理装置が、同規格の赤外線通信手段を有する携帯端末からの赤外線通信によって、前記サーバ装置内の履歴情報の読み出し処理、各種動作設定値の読み出し処理と変更処理、前記サーバ装置の基本動作の実行、及び前記サーバ装置のファームウェアの更新処理、サーバ管理装置のプログラムの更新処理を実行させる手段を有することを特徴とする。
【００３０】
請求項２の本発明は、サーバ管理装置によってサーバ装置を管理するサーバ管理システムにおいて、前記サーバ管理装置に低出力近距離無線通信による操作を可能とする低出力近距離無線通信手段を備え、前記サーバ管理装置が同規格の低出力近距離無線通信手段を有する携帯端末からの低出力近距離無線通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とする。
【００３１】
請求項３の本発明は、サーバ管理装置によってサーバ装置を管理するサーバ管理システムにおいて、前記サーバ管理装置に無線ＬＡＮによる操作を可能とする無線ＬＡＮ通信手段を備え、前記サーバ管理装置が同規格の無線ＬＡＮ通信手段を有する携帯端末あるいは同規格の無線ＬＡＮアクセスポイントに有線ＬＡＮ及び無線ＬＡＮによって接続している携帯端末又は端末装置から、無線ＬＡＮ通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とする。
【００３２】
請求項１から請求項３に記載の発明により、該サーバ管理装置と無線通信手段、すなわち、赤外線通信手段、低出力近距離無線通信手段及び無線ＬＡＮ通信手段によって接続した携帯電話、携帯情報端末及び携帯型パーソナルコンピュータ等の携帯端末のテンキー、タッチパネル、キーボード及びマウスを操作することで、該サーバ管理装置内の履歴情報の読み出し処理及び各種動作設定値の読み出し処理と変更処理を行い、そして、携帯端末のディスプレイに表示し、あるいは、記録装置に記録することができる。また、携帯端末の記録装置に記録されているサーバ装置のファームウェアあるいはサーバ管理装置のプログラムを、無線通信手段により該サーバ管理装置に送信して、サーバ装置のファームウェアの更新、あるいは、サーバ管理装置のプログラムの更新が行える。
【００３３】
また、請求項３に記載の発明により、該サーバ管理装置は無線ＬＡＮアクセスポイントとの通信も可能であり、無線ＬＡＮアクセスポイントに無線ＬＡＮによって接続している携帯端末、又は有線ＬＡＮによって接続しているパーソナルコンピュータ及びワークステーション等の端末装置によっても、上記と同様の処理が行える。
【００３４】
請求項４の本発明のサーバ管理システムは、前記サーバ管理装置が前記サーバ装置の主記憶装置、中央演算処理装置、制御処理装置からデータ読み出し処理を実行する手段を有し、かつ前記携帯端末又は端末装置からの前記無線ＬＡＮ通信によって、前記サーバ装置の主記憶装置、中央演算処理装置、制御処理装置からのデータ読み出し処理を実行させる手段を有することを特徴とする。
【００３５】
請求項４に記載の発明により、該サーバ管理装置と無線ＬＡＮ通信手段によって接続した携帯端末のキーボード及びマウスを操作することで、該サーバ管理装置が管理するサーバ装置の主記憶装置、中央演算処理装置、制御処理装置からデータ読み出し処理を行い、そして、携帯端末のディスプレイに表示し、あるいは、記録装置に記録することができる。
【００３６】
請求項５の本発明のサーバ管理システムは、前記サーバ管理装置が前記サーバ装置がサーバ管理装置を経由してサーバ装置のファームウェア及びオペレーティングシステムを実行する手段を有し、かつ前記携帯端末又は端末装置に格納されている前記サーバ装置のファームウェア及びオペレーティングシステムを前記無線ＬＡＮ通信手段を経由して実行し、前記サーバ装置を起動する手段を有することを特徴とする。
【００３７】
請求項５に記載の発明により、該サーバ管理装置と無線ＬＡＮ通信手段によって接続した携帯端末の記録装置に格納されているサーバ装置のファームウェア及びサーバ装置のオペレーティングシステムを、該サーバ管理装置が管理するサーバ装置が実行できることで、サーバ装置内のファームウェア及びオペレーティングシステムが破壊されていても、サーバ装置を起動することができる。
【００３８】
請求項６の本発明のサーバ管理システムは、前記サーバ管理装置が前記サーバ装置の入出力を制御する手段を有し、かつ前記携帯端末又は端末装置からの前記無線ＬＡＮ通信手段を経由した操作によって、前記サーバ装置の入出力の制御を可能にする手段を有することを特徴とする。
【００３９】
請求項６に記載の発明により、該サーバ管理装置と無線ＬＡＮ通信手段によって接続した携帯端末のキーボード、マウス及びディスプレイで、該サーバ管理装置が管理するサーバ装置の入出力制御を行うことができる。
【００４０】
請求項７の本発明は、サーバ装置を管理するサーバ管理装置において、赤外線通信による操作を可能とする赤外線通信手段を備え、同規格の赤外線通信手段を有する携帯端末からの赤外線通信によって、前記サーバ装置内の履歴情報の読み出し処理、各種動作設定値の読み出し処理と変更処理、前記サーバ装置の基本動作の実行、及び前記サーバ装置のファームウェアの更新処理、サーバ管理装置のプログラムの更新処理を実行させる手段を有することを特徴とする。
【００４１】
請求項８の本発明は、サーバ装置を管理するサーバ管理装置において、低出力近距離無線通信による操作を可能とする低出力近距離無線通信手段を備え、同規格の低出力近距離無線通信手段を有する携帯端末からの低出力近距離無線通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とする。
【００４２】
請求項９の本発明は、サーバ装置を管理するサーバ管理装置において、無線ＬＡＮによる操作を可能とする無線ＬＡＮ通信手段を備え、同規格の無線ＬＡＮ通信手段を有する携帯端末あるいは同規格の無線ＬＡＮアクセスポイントに有線ＬＡＮ及び無線ＬＡＮによって接続している携帯端末又は端末装置から、無線ＬＡＮ通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる手段を有することを特徴とする。
【００４３】
請求項１３の本発明は、サーバ装置を管理するサーバ管理装置上で実行され、前記サーバ装置の管理を制御するサーバ管理プログラムであって、前記サーバ管理装置に備えられる赤外線通信による操作を可能とする赤外線通信手段を経由した同規格の赤外線通信手段を有する携帯端末からの赤外線通信によって、前記サーバ装置内の履歴情報の読み出し処理、各種動作設定値の読み出し処理と変更処理、前記サーバ装置の基本動作の実行、及び前記サーバ装置のファームウェアの更新処理、サーバ管理装置のプログラムの更新処理を実行させる機能を有する。
【００４４】
請求項１４の本発明は、サーバ装置を管理するサーバ管理装置上で実行され、前記サーバ装置の管理を制御するサーバ管理プログラムであって、前記サーバ管理装置に備えられる低出力近距離無線通信による操作を可能とする低出力近距離無線通信手段を経由した同規格の低出力近距離無線通信手段を有する携帯端末からの低出力近距離無線通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる機能を有する。
【００４５】
請求項１５の本発明は、サーバ装置を管理するサーバ管理装置上で実行され、前記サーバ装置の管理を制御するサーバ管理プログラムであって、前記サーバ管理装置に備えられる無線ＬＡＮによる操作を可能とする無線ＬＡＮ通信手段を経由した同規格の無線ＬＡＮ通信手段を有する携帯端末あるいは同規格の無線ＬＡＮアクセスポイントに有線ＬＡＮ及び無線ＬＡＮによって接続している携帯端末又は端末装置からの無線ＬＡＮ通信によって、前記サーバ装置内の履歴情報の読み出し処理、各種動作設定値の読み出し処理と変更処理、前記サーバ装置の基本動作の実行処理、及び前記サーバ装置のファームウェアの更新処理、サーバ管理装置のプログラムの更新処理を実行させる機能を有する。
【００４６】
請求項１９の本発明は、サーバ管理装置を有する複数のサーバ装置に、各サーバ管理装置が有する無線ＬＡＮ通信手段と同規格の無線ＬＡＮアクセスポイントによって、無線ＬＡＮによって接続している携帯端末又は有線ＬＡＮによって接続している端末装置上で実行され、前記無線ＬＡＮ通信によって、複数のサーバ装置を切り替えて前記サーバ装置の入出力制御を可能にする機能を有することを特徴とする。
【００４７】
この請求項１９の発明により、サーバ装置が複数台ある場合においても、１台の携帯端末又は端末によってサーバ装置の入出力制御を行うことができる。
【発明の効果】
【００４８】
本発明によれば、以下に述べるような優れた効果が達成される。
【００４９】
サーバ装置を管理するサーバ管理装置がサーバ装置と独立した入出力装置を持つ必要がなく、かつコストや設置スペースの無駄をなくすことができる。
【００５０】
また、障害が発生した場合に、障害解析作業と障害回復作業を行うために、入出力装置やインターフェースケーブルの調達、引き回し、接続の作業に要する手間が不要になる。
【００５１】
また、サーバ装置の近傍にてもあるいは近傍でなくとも、サーバ管理装置による障害解析や障害回復作業が行えるようになる。
【００５２】
すなわち、本発明によれば、障害発生から障害解析、障害回復に到る一連の作業において、従来必要としていたインターフェースケーブルあるいはＦＤ媒体等の調達及び接続作業が不要になり、あるいは簡略化されることで、迅速な障害回復が可能となる。
【００５３】
さらに、複数台のサーバ装置に対して、インターフェースケーブルを接続することなく入出力制御を行うことができることである。入出力装置のインターフェースケーブルの接続作業は、サーバ装置の台数が多くなると非常に煩雑になるが、本発明によれば、インターフェースケーブルを接続することなく入出力制御でき、接続作業が非常に容易になる。
【実施例】
【００５４】
次に、本発明の好適な実施例について図面を参照して詳細に説明する。
【００５５】
図１を参照すると、サーバ装置１は、基本的にサーバ装置基本部２と、サーバ管理装置３で構成されている。本発明は、サーバ装置１を管理するサーバ管理装置３に、赤外線通信装置２８、低出力近距離無線通信装置３０及び無線ＬＡＮ装置３２のいずれか、又はその全てを備えることを特徴とする。
【００５６】
サーバ装置１の履歴情報は、サーバ管理装置３の記憶装置２１に記録される。
【００５７】
状態監視センサー６からの信号は、各種センサーインターフェース５５を通じてサーバ管理装置３の記憶装置２１に記録される。
【００５８】
サーバ装置１から異常処理信号５３が入力された場合には、システム監視バス５４を通じて、中央演算処理装置１１、ＣＰＵ・メモリ制御処理装置１３及びＩ／Ｏブリッジ（Ｂｒｉｄｇｅ）１４から、異常処理信号が記憶装置２１に記録される。
【００５９】
記憶装置２１に記録されたサーバ装置１の履歴情報は、サーバ管理装置３のメモリバス５９を通じて、Ｉ／Ｏ制御処理装置２３を経由し、さらに、サーバ管理装置３のＩ／Ｏバス６０を通じて、赤外線通信装置２８、低出力近距離無線通信装置３０及び無線ＬＡＮ装置３２から、その読み出し処理を行うことができる。
【００６０】
サーバ装置１の各種動作設定値は、不揮発メモリ１９に格納される。不揮発メモリ１９に格納されている各種動作設定値は、Ｉ／ＯバスＢ５１を通じて、Ｉ／Ｏ制御処理装置２３を経由し、そして、サーバ管理装置３のＩ／Ｏバス６０を通じて、赤外線通信装置２８、低出力近距離無線通信装置３０及び無線ＬＡＮ装置３２から、その読み出し処理及び変更処理を行うことができる。
【００６１】
サーバ装置１の電源ＯＮ、ＯＦＦは、サーバ管理装置３から電源制御信号５７を通じて電源ユニット４を制御して電源給電ライン５６のＯＮ、ＯＦＦを行うことで実行される。
【００６２】
通常、サーバ管理装置３は、電源スイッチ３４の入力に応じて電源制御信号５７の制御を行うが、赤外線通信装置２８、低出力近距離無線通信装置３０及び無線ＬＡＮ装置３２から、サーバ管理装置３のＩ／Ｏバス６０を通じてＩ／Ｏ制御処理装置２３に電源のＯＮ、ＯＦＦ命令を送ることで、電源制御信号５７の制御を行うことも可能である。
【００６３】
サーバ装置１のファームウェアは、フラッシュメモリ１８に格納されている。フラッシュメモリ１８に格納されているサーバ装置１のファームウェアは、赤外線通信装置２８、低出力近距離無線通信装置３０及び無線ＬＡＮ装置３２から、サーバ管理装置３のＩ／Ｏバス６０とＩ／Ｏ制御処理装置２３を経由し、Ｉ／ＯバスＢ５１を通じてサーバ管理装置３から更新することができる。
【００６４】
サーバ管理装置３のプログラムは、フラッシュメモリ２２に格納されている。フラッシュメモリ２２に格納されているサーバ管理装置３のプログラムは、赤外線通信装置２８、低出力近距離無線通信装置３０及び無線ＬＡＮ装置３２から、サーバ管理装置のＩ／Ｏバス６０を通じ、Ｉ／Ｏ制御処理装置２３を経由し、そして、サーバ管理装置３のメモリバス５９を通じて外部から更新することができる。
【００６５】
サーバ装置１の中央演算処理装置１１、ＣＰＵ・メモリ制御処理装置１３及びＩ／Ｏブリッジ１４のデータは、システム監視バス５２を通じてサーバ管理装置３から読み出すことができる。
【００６６】
また、主記憶装置１２のデータは、ＣＰＵ・メモリ制御処理装置１３、Ｉ／Ｏブリッジ１４を経由して、Ｉ／Ｏバス５１を通じて、サーバ管理装置３のＩ／Ｏ制御処理装置２３から読み出すことができる。サーバ管理装置３が読み出したデータは、サーバ管理装置３のＩ／Ｏバス６０を通じて、無線ＬＡＮ装置３２から読み出し処理をすることができる。
【００６７】
サーバ装置１は、通常、フラッシュメモリ１８に格納されているファームウェアを読み込んで起動する。また、無線ＬＡＮ装置３２から、サーバ管理装置３のＩ／Ｏバス６０を通じて、Ｉ／Ｏ制御処理装置２３を経由し、Ｉ／Ｏバス５１を通じてファームウェアを読み込こみことにより、起動することもできる。
【００６８】
サーバ装置１のオペレーティングシステムは、通常、外部記憶装置５に格納されているオペレーティングシステムプログラムを、外部記憶装置制御処理装置１５を経由して読み込み、起動する。また、無線ＬＡＮ装置３２から、サーバ管理装置３のＩ／Ｏバス６０を通じて、Ｉ／Ｏ制御処理装置２３を経由し、Ｉ／Ｏバス５０を通じて、オペレーティングシステムプログラムを読み込み、起動することもできる。
【００６９】
サーバ装置１は、通常、キーボード８及びマウス９を操作して、基本Ｉ／Ｏ制御処理装置１７によって入力制御が行われる。また、本発明の特徴として、Ｉ／Ｏバス５１を通じてＩ／Ｏ制御処理装置２３によって入力制御することもできる。そのため、無線ＬＡＮ装置３２から、サーバ管理装置３のＩ／Ｏバス６０を通じて、Ｉ／Ｏ制御処理装置２３を制御することで、サーバ装置１の入力制御をすることが可能である。
【００７０】
サーバ装置１は、通常、ディスプレイ制御装置１６を制御してディスプレイ７に対する表示出力を行う。また、本発明の特徴として、Ｉ／Ｏバス５０を通じてＩ／Ｏ制御処理装置２３に対して出力制御することもできる。そのため、サーバ装置１は、Ｉ／Ｏ制御処理装置２３を制御することで、サーバ管理装置３のＩ／Ｏバス６０を通じて、無線ＬＡＮ装置３２に出力することができる。
【００７１】
なお、上記実施例において、サーバ管理装置３の各機能をハードウェア的に実現することは勿論として、それらの機能をソフトウェア的に実現することも可能である。ソフトウェア的に実現する場合には、サーバ管理装置３であるプログラム制御可能なコンピュータ処理装置（ＣＰＵ）上で、上記の各機能を実現するプログラム（アプリケーション）であるサーバ管理プログラムをロードして実行することになる。このサーバ管理プログラムは、磁気ディスク、半導体メモリその他の記録媒体に格納され、その記録媒体からコンピュータ処理装置にロードされる。
【００７２】
図２は、サーバ装置１を管理するサーバ管理装置３を、携帯端末としての携帯電話７０から赤外線通信によって入出力制御する例の構成を示している。
【００７３】
サーバ装置１を管理するサーバ管理装置３は、赤外線通信装置２８と赤外線センサー／赤外線発光部２９を備えている。また、携帯電話７０も同一規格の赤外線通信装置２８と赤外線センサー／赤外線発光部２９を備えている。
【００７４】
携帯電話７０は、サーバ管理装置３と赤外線通信が可能な場所に設置する。そして、携帯電話７０とサーバ管理装置３との間を赤外線通信で接続することにより、携帯電話７０のテンキー８２の操作によりサーバ管理装置３の入力制御を行うことができ、また、サーバ管理装置３からの出力を携帯電話７０のディスプレイ８１に表示することができるようになっている。
【００７５】
さらに、サーバ管理装置３から受信したデータについては、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【００７６】
図３は、サーバ装置１を管理するサーバ管理装置３を、携帯電話７０から低出力近距離無線通信によって入出力制御する例の構成を示している。
【００７７】
サーバ装置１を管理するサーバ管理装置３は、低出力近距離無線通信装置３０と低出力無線通信用アンテナ３１を備えている。また、携帯電話７０も同一規格の低出力近距離無線通信装置３０と低出力無線通信用アンテナ３１を備えている。
【００７８】
携帯電話７０は、サーバ管理装置３と低出力近距離無線通信が可能な場所に設置する。そして、携帯電話７０とサーバ管理装置３との間を低出力近距離無線通信で接続することにより、携帯電話７０のテンキー８２の操作によりサーバ管理装置３の入力制御を行うことができ、また、サーバ管理装置３からの出力を携帯電話７０のディスプレイ８１に表示することができる。
【００７９】
さらに、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【００８０】
図４は、サーバ装置１を管理するサーバ管理装置３を、携帯電話７０から無線ＬＡＮ通信によって入出力制御する例の構成を示している。
【００８１】
サーバ装置１を管理するサーバ管理装置３は、無線ＬＡＮ通信装置３２と無線ＬＡＮ通信用アンテナ３３を備えている。また、携帯電話７０も同一規格の無線ＬＡＮ通信装置３２と無線ＬＡＮ通信用アンテナ３３を備えている。
【００８２】
携帯電話７０はサーバ管理装置３と無線ＬＡＮ通信が可能な場所に設置する。そして、携帯電話７０とサーバ管理装置３との間を無線ＬＡＮ通信で接続することにより、携帯電話７０のテンキー８２の操作によりサーバ管理装置３の入力制御を行うことができ、また、サーバ管理装置３からの出力を携帯電話７０のディスプレイ８１に表示することができる。
【００８３】
さらに、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【００８４】
図５は、サーバ装置１を管理するサーバ管理装置３を、携帯端末としての携帯情報端末７１から赤外線通信によって入出力制御する例を示している。
【００８５】
サーバ装置１を管理するサーバ管理装置３は、赤外線通信装置２８と赤外線センサー／赤外線発光部２９を備えている。また、携帯情報端末７１も同一規格の赤外線通信装置２８と赤外線センサー／赤外線発光部２９を備えている。なお、携帯情報端末７１は携帯電話ネットワークカード８０を備えることで、携帯電話回線９０に接続可能な構成であることが好ましい。
【００８６】
携帯情報端末７１は、サーバ管理装置３と赤外線通信が可能な場所に設置する。そして、携帯情報端末７１とサーバ管理装置３との間を赤外線通信で接続することにより、携帯情報端末７１のディスプレイ／タッチパネル８３の操作によりサーバ管理装置３の入力制御を行うことができ、また、サーバ管理装置３からの出力を携帯情報端末７１のディスプレイ／タッチパネル８３に表示することができる。
【００８７】
さらに、携帯電話ネットワークカード８０を備える場合には、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【００８８】
図６は、サーバ装置１を管理するサーバ管理装置３を、携帯情報端末７１から低出力近距離無線通信によって入出力制御する例を示している。
【００８９】
サーバ装置１を管理するサーバ管理装置３は、低出力近距離無線通信装置３０と低出力無線通信用アンテナ３１を備えている。また、携帯情報端末７１も同一規格の低出力近距離無線通信装置３０と低出力無線通信用アンテナ３１を備えている。なお、携帯情報端末７１は携帯電話ネットワークカード８０を備えることで、携帯電話回線９０に接続可能な構成であることが好ましい。
【００９０】
携帯情報端末７１は、サーバ管理装置３と低出力近距離無線通信が可能な場所に設置する。そして、携帯情報端末７１とサーバ管理装置３との間を低出力近距離無線通信で接続することにより、携帯情報端末７１のディスプレイ／タッチパネル８３の操作によりサーバ管理装置３の入力制御を行うことができ、また、サーバ管理装置３からの出力を携帯情報端末７１のディスプレイ／タッチパネル８３に表示することができる。
【００９１】
さらに、携帯電話ネットワークカード８０を備える場合には、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【００９２】
図７は、サーバ装置１を管理するサーバ管理装置３を、携帯情報端末７１から無線ＬＡＮ通信によって入出力制御する例を示している。
【００９３】
サーバ装置１を管理するサーバ管理装置３は、無線ＬＡＮ通信装置３２と無線ＬＡＮ通信用アンテナ３３を備えている。また、携帯情報端末７１も同一規格の無線ＬＡＮ通信装置３２と無線ＬＡＮ通信用アンテナ３３を備えている。なお、携帯情報端末７１は携帯電話ネットワークカード８０を備えることで、携帯電話回線９０に接続可能な構成であることが好ましい。
【００９４】
携帯情報端末７１は、サーバ管理装置３と無線ＬＡＮ通信が可能な場所に設置する。そして、携帯情報端末７１とサーバ管理装置３との間を無線ＬＡＮ通信で接続することにより、携帯情報端末７１のディスプレイ／タッチパネル８３の操作によりサーバ管理装置３の入力制御を行うことができ、また、サーバ管理装置３からの出力を携帯情報端末７１のディスプレイ／タッチパネル８３に表示することができる。
【００９５】
さらに、携帯電話ネットワークカード８０を備える場合には、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【００９６】
図８は、サーバ装置１を管理するサーバ管理装置３を、携帯端末としての携帯型パーソナルコンピュータ７２から赤外線通信によって入出力制御する例を示している。
【００９７】
サーバ装置１を管理するサーバ管理装置３は、赤外線通信装置２８と赤外線センサー／赤外線発光部２９を備えている。また、携帯型パーソナルコンピュータ７２も同一規格の赤外線通信装置２８と赤外線センサー／赤外線発光部２９を備えている。なお、携帯型パーソナルコンピュータ７２は携帯電話ネットワークカード８０を備えることで、携帯電話回線９０に接続可能な構成であることが好ましい。
【００９８】
携帯型パーソナルコンピュータ７２は、サーバ管理装置３と赤外線通信が可能な場所に設置する。そして、携帯型パーソナルコンピュータ７２とサーバ管理装置３との間を赤外線通信で接続することにより、携帯型パーソナルコンピュータ７２のキーボード８５の操作によりサーバ管理装置３の入力制御を行うことができ、また、サーバ管理装置３からの出力を携帯型パーソナルコンピュータ７２のディスプレイ８４に表示することができる。
【００９９】
さらに、携帯電話ネットワークカード８０を備える場合には、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【０１００】
図９は、サーバ装置１を管理するサーバ管理装置３を、携帯型パーソナルコンピュータ７２から低出力近距離無線通信によって入出力制御する例を示している。
【０１０１】
サーバ装置１を管理するサーバ管理装置３は、低出力近距離無線通信装置３０と低出力無線通信用アンテナ３１を備えている。また、携帯型パーソナルコンピュータ７２も同一規格の低出力近距離無線通信装置３０と低出力無線通信用アンテナ３１を備えている。なお、携帯型パーソナルコンピュータ７２は携帯電話ネットワークカード８０を備えることで、携帯電話回線９０に接続可能な構成であるあることが好ましい。
【０１０２】
携帯型パーソナルコンピュータ７２はサーバ管理装置３と低出力近距離無線通信が可能な場所に設置する。そして、携帯型パーソナルコンピュータ７２とサーバ管理装置３との間を低出力近距離無線通信で接続することにより、携帯型パーソナルコンピュータ７２のキーボード８５の操作によりサーバ管理装置３の入力制御を行うことができ、また、サーバ管理装置３からの出力を携帯型パーソナルコンピュータ７２のディスプレイ８４に表示することができる。
【０１０３】
さらに、携帯電話ネットワークカード８０を備える場合には、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【０１０４】
図１０は、サーバ装置１を管理するサーバ管理装置３を、携帯型パーソナルコンピュータ７２から無線ＬＡＮ通信によって入出力制御する例を示している。
【０１０５】
サーバ装置１を管理するサーバ管理装置３は、無線ＬＡＮ通信装置３２と無線ＬＡＮ通信用アンテナ３３を備えている。また、携帯型パーソナルコンピュータ７２も同一規格の無線ＬＡＮ通信装置３２と無線ＬＡＮ通信用アンテナ３３を備えている。なお、携帯型パーソナルコンピュータ７２は携帯電話ネットワークカード８０を備えることで、携帯電話回線９０に接続可能な構成であることが好ましい。
【０１０６】
携帯型パーソナルコンピュータ７２はサーバ管理装置３と無線ＬＡＮ通信が可能な場所に設置する。そして、携帯型パーソナルコンピュータ７２とサーバ管理装置３との間を無線ＬＡＮ通信で接続することにより、携帯型パーソナルコンピュータ７２のキーボード８５の操作によりサーバ管理装置３の入力制御を行うことができ、また、サーバ管理装置３からの出力を携帯型パーソナルコンピュータ７２のディスプレイ８４に表示することができる。
【０１０７】
さらに、携帯電話ネットワークカード８０を備える場合には、サーバ管理装置３から受信したデータを、携帯電話回線９０を通じて保守管理者用パーソナルコンピュータ／ワークステーション９１に送信することができ、また、保守管理者用パーソナルコンピュータ／ワークステーション９１から携帯電話回線９０を通じて受信したデータを、サーバ管理装置３に送信することができる。
【０１０８】
図１１は、サーバ装置１を管理するサーバ管理装置３を、無線ＬＡＮアクセスポイント７３に無線ＬＡＮによって接続している携帯電話７０、携帯情報端末７１、携帯型パーソナルコンピュータ７２、及び、有線ＬＡＮによって接続している端末装置としてのパーソナルコンピュータ７４、ワークステーション７５から、無線ＬＡＮ通信によって入出力制御する例を示している。
【０１０９】
サーバ装置１を管理するサーバ管理装置３は、無線ＬＡＮ通信装置３２と無線ＬＡＮ通信用アンテナ３３を備えている。また、無線ＬＡＮアクセスポイント７３も同一規格の無線ＬＡＮ通信装置３２と無線ＬＡＮ通信用アンテナ３３を備えている。
【０１１０】
無線ＬＡＮアクセスポイント７３はサーバ管理装置３と無線ＬＡＮ通信が可能な場所に設置する。そして、無線ＬＡＮアクセスポイント７３とサーバ管理装置３との間を無線ＬＡＮ通信で接続することにより、無線ＬＡＮアクセスポイント７３に無線ＬＡＮによって接続している携帯電話７０、携帯情報端末７１、携帯型パーソナルコンピュータ７２、及び有線ＬＡＮによって接続している端末装置としてのパーソナルコンピュータ７４、ワークステーション７５から入出力制御を行うことができるものである。
【０１１１】
図１２を参照することで、本実施例に係るサーバ装置１とサーバ管理装置３における、障害発生から障害回復に到る手順の一例について説明する。
【０１１２】
サーバ装置１において障害が発生すると（ステップＳ１）、直ちに保守管理者はサーバ装置１が設置されている現場に向かう。保守管理者は、現場に到着すると、まず、携帯型パーソナルコンピュータ７２を無線ＬＡＮ通信によって、サーバ装置１を管理するサーバ管理装置３に接続する（ステップＳ２）。
【０１１３】
次に、障害解析に必要な情報を収集するため、携帯型パーソナルコンピュータ７２を操作して、サーバ装置１の履歴情報の読み出し処理の実行（ステップＳ３）、サーバ装置１の各種動作設定値の読み出し処理の実行（ステップＳ４）、サーバ装置１の中央演算処理装置１１、主記憶装置１２、ＣＰＵ・メモリ制御処理装置１３、Ｉ／Ｏブリッジ４からのデータ読み出し処理の実行（ステップＳ５）を行う。
【０１１４】
また、サーバ装置１から、携帯型パーソナルコンピュータ７２に格納されているファームウェア及びオペレーティングシステムを実行して、サーバ装置１を起動し（ステップＳ６）、試験診断プログラムを実行する（ステップＳ７）。
【０１１５】
そして、ステップＳ３〜Ｓ７によって得られたデータを基に障害解析を行う（ステップＳ９）。なお、現場の保守管理者では障害解析が困難な場合には、ステップＳ３〜Ｓ７によって得られたデータを携帯電話回線を通じて遠隔の保守管理者に送信して（ステップＳ８）、障害解析を依頼することもできる。
【０１１６】
障害解析（ステップＳ９）の結果に基づき、部品交換を行い（ステップＳ１０）、あるいは、サーバ装置１の各種動作設定値の変更処理を行うことにより（ステップＳ１１）、サーバ装置１を障害回復させる（ステップＳ１６）。
【０１１７】
また、障害の原因によっては、遠隔の保守管理者から電話回線を通じて修正したサーバ装置１のファームウェアを受信して（ステップＳ１２）、サーバ装置１のファームウェアを更新することで（ステップＳ１３）、あるいは、遠隔の保守管理者から電話回線を通じて修正したサーバ管理装置３のプログラムを受信して（ステップＳ１４）、サーバ管理装置３のプログラムを更新することで（ステップＳ１５）、サーバ装置１を障害回復させる（ステップＳ１６）。
【０１１８】
なお、図１２からステップＳ５〜Ｓ７の処理を除き、携帯型パーソナルコンピュータ７２を、携帯電話７０、携帯情報端末７１に置き換えても処理を行うことができる。また、図１２からステップＳ５〜Ｓ７の処理を除き、無線ＬＡＮ通信を、赤外線通信、低出力近距離無線通信に置き換えても処理を実行することができる。
【０１１９】
図１３を参照することで、本実施例に係るサーバ装置１とサーバ管理装置３における、複数台のサーバ装置に対する入出力制御に到る手順の一例を説明する。
【０１２０】
まず、無線ＬＡＮ通信装置３２を有する携帯型パーソナルコンピュータ７２をセットし（ステップＳ２０）、ｎ台のサーバ装置１のサーバ管理装置３に無線ＬＡＮ通信によって接続する（ステップＳ２１）。そして、携帯型パーソナルコンピュータ７２を操作して、複数台のサーバ装置１を切り替えて入出力制御するプログラムを実行し、サーバ装置１を切り替えて入出力制御を行う（ステップＳ２２）。
【０１２１】
この場合の携帯型パーソナルコンピュータ７２によるサーバ装置１を切り替えた入出力制御は、パーソナルコンピュータ７２であるコンピュータ装置上で、入出力制御の切り替えを行う機能を有する制御プログラムをロードして実行することで実現できる。
【０１２２】
図１４を参照することで、切り替え装置を使用した従来の複数台のサーバ装置に対する入出力制御に到る手順の一例を見ることができる。
【０１２３】
まず、入出力装置、切り替え装置、ｎ本あるいは１対ｎ式のインターフェースケーブルを準備して（ステップＳ３１）、入出力装置を切り替え装置に接続し（ステップＳ３２）、ｎ台のサーバ装置１をインターフェースケーブルで切り替え装置にそれぞれ接続する（ステップＳ３３−１〜Ｓ３３−ｎ）。そして、切り替え装置を操作してｎ台のサーバ装置１を切り替えることで入出力制御を行う。
【０１２４】
図１４に示す従来の手順の問題は、サーバ装置１の台数ｎが多くなるほどステップＳ３３−１〜Ｓ３３−ｎの回数が多くなることにある。本実施例では、図１４に示す従来のステップＳ３２とステップＳ３３−１〜３３ｎで必要であった作業が、図１３に示す通りステップＳ２１の１回の作業で済むことになり、接続作業時間が大幅に短縮されることになる。
【０１２５】
本実施例による第１の効果を図１２の障害発生から障害回復に到る手順の一例に基づき示すと、すなわち、携帯型パーソナルコンピュータ７２の一連の操作のみで、データ採取から障害解析、障害回復に到る作業の、部品交換を除くほぼ全ての作業を行うことができることにある。
【０１２６】
従来の技術では、ステップＳ２のサーバ管理装置３への接続において、サーバ管理装置３と携帯型パーソナルコンピュータ７２とを接続するインターフェースケーブルの調達、引き回し、接続の作業が発生していた。
【０１２７】
あるいは、ステップＳ３〜Ｓ７の処理によって得られたデータは、まず新たにＦＤ媒体を用意し、一旦サーバ装置１でＦＤ媒体に記録して、サーバ装置１から携帯型パーソナルコンピュータ７２にＦＤ媒体を移し替え、携帯型パーソナルコンピュータ７２でＦＤ媒体からデータを読み込んだ後、ステップＳ９による障害解析に行っていた。
【０１２８】
あるいは、ステップＳ１２、ステップＳ１４によって受信した、サーバ装置１のファームウェア及びサーバ管理装置３のプログラムは、まず新たにＦＤ媒体を用意し、一旦携帯型パーソナルコンピュータ７２でＦＤ媒体に格納した後、携帯型パーソナルコンピュータ７２からサーバ装置１にＦＤ媒体を移し替えて、ＦＤ媒体からサーバ装置１のファームウェアの更新（ステップＳ１３）、サーバ管理装置３のプログラムの更新（ステップＳ１５）を行っていた。
【０１２９】
すなわち、本実施例により、障害発生から障害解析、障害回復に到る一連の手順において、従来必要としていたインターフェースケーブルあるいはＦＤ媒体等の調達が不要になり、また、一連の手順のなかで従来必要としていた接続作業が不要になる、あるいは、簡略化されることで、迅速な障害回復が可能となる。
【０１３０】
本実施例の第２の効果は、複数台のサーバ装置１に対して、インターフェースケーブルを接続することなく入出力制御を行うことができることである。入出力装置のインターフェースケーブルの接続作業は、サーバ装置の台数が多くなると非常に煩雑になるが、本実施例では、インターフェースケーブルを接続することなく入出力制御でき、接続作業が非常に容易になる。
【図面の簡単な説明】
【０１３１】
【図１】本発明の好適な実施例によるサーバ装置とサーバ管理装置の構成を示すブロック図である。
【図２】図１に示すサーバ装置と赤外線通信装置を備える携帯電話との構成例を示す。
【図３】図１に示すサーバ装置と低出力近距離無線装置を備える携帯電話との構成例を示す。
【図４】図１に示すサーバ装置と無線ＬＡＮ装置を備える携帯電話との構成例を示す。
【図５】図１に示すサーバ装置と赤外線通信装置を備える携帯情報端末との構成例を示す。
【図６】図１に示すサーバ装置と低出力近距離無線装置を備える携帯情報端末との構成例を示す。
【図７】図１に示すサーバ装置と無線ＬＡＮ装置を備える携帯情報端末との構成例を示す。
【図８】図１に示すサーバ装置と赤外線通信装置を備える携帯型パーソナルコンピュータとの構成例を示す。
【図９】図１に示すサーバ装置と低出力近距離無線装置を備える携帯型パーソナルコンピュータとの構成例を示す。
【図１０】図１に示すサーバ装置と無線ＬＡＮ装置を備える携帯型パーソナルコンピュータとの構成例を示す。
【図１１】図１に示すサーバ装置と、無線ＬＡＮアクセスポイントに無線ＬＡＮで接続している携帯電話、携帯情報端末、携帯型パーソナルコンピュータ、及び、有線ＬＡＮで接続しているパーソナルコンピュータ及びワークステーションとの構成例を示す。
【図１２】本発明の実施例によるサーバ装置とサーバ管理装置における、障害発生から障害回復に到るフローチャートである。
【図１３】本発明の実施例における複数台のサーバ装置に対する入出力制御を行う場合の手順を示すフローチャートである。
【図１４】従来における、複数台のサーバ装置に対する入出力制御を行う場合の手順を示すフローチャートである。
【符号の説明】
【０１３２】
１：サーバ装置
２：サーバ装置基本部
３：サーバ管理装置
４：電源ユニット
５：外部記憶装置
６：状態監視センサー
７：ディスプレイ
８：キーボード
９：マウス
１０：商用電源
１１：中央演算処理装置
１２：主記憶装置
１３：ＣＰＵ・メモリ制御処理装置
１４：Ｉ／Ｏブリッジ
１５：外部記憶装置制御処理装置
１６：ディスプレイ制御処理装置
１７：基本Ｉ／Ｏ制御処理装置
１８：フラッシュメモリ
１９：不揮発メモリ
２０：演算処理装置
２１：記憶装置
２２：フラッシュメモリ
２３：Ｉ／Ｏ制御処理装置
２４：シリアルインターフェース制御処理装置
２５：シリアルインターフェースコネクタ
２６：有線ＬＡＮ通信装置
２７：有線ＬＡＮインターフェースコネクタ
２８：赤外線通信装置
２９：赤外線センサー／赤外線発光部
３０：低出力近距離無線通信装置
３１：低出力無線通信用アンテナ
３２：無線ＬＡＮ通信装置
３３：無線ＬＡＮ通信用アンテナ
３４：電源スイッチ
３５：リセットスイッチ
３６：モデム
３７：遠隔制御用パーソナルコンピュータ／ワークステーション
５０：Ｉ／Ｏバス
５１：Ｉ／Ｏバス
５２：システム監視バス
５３：異常処理発生信号
５４：リセット信号
５５：各種センサーインターフェース
５６：電源給電ライン
５７：電源制御信号
５８：電源ケーブル
５９：サーバ管理装置のメモリバス
６０：サーバ管理装置のＩ／Ｏバス
７０：携帯電話
７１：携帯情報端末
７２：携帯型パーソナルコンピュータ
７３：無線ＬＡＮアクセスポイント
７４：パーソナルコンピュータ
７５：ワークステーション
７９：有線ＬＡＮ装置
８０：携帯電話ネットワークカード
８１：ディスプレイ
８２：テンキー
８３：ディスプレイ／タッチパネル
８４：ディスプレイ
８５：キーボード
９０：携帯電話回線
９１：保守管理者用パーソナルコンピュータ／ワークステーション
【図１】
2005267225.tif 000003
【図２】
2005267225.tif 000004
【図３】
2005267225.tif 000005
【図４】
2005267225.tif 000006
【図５】
2005267225.tif 000007
【図６】
2005267225.tif 000008
【図７】
2005267225.tif 000009
【図８】
2005267225.tif 000010
【図９】
2005267225.tif 000011
【図１０】
2005267225.tif 000012
【図１１】
2005267225.tif 000013
【図１２】
2005267225.tif 000014
【図１３】
2005267225.tif 000015
【図１４】
2005267225.tif 000016